(57)【特許請求の範囲】
【請求項１】
室内の壁面に当接し得る第１主面と、これに対向配置された第２主面とを有する筐体と、該筐体内において上下方向に所定の間隔を隔てて対向配置された回転自在な第１，第２のローラと、これらのローラ間に巻き掛けられるとともに、その第２主面側の張設部分が該第２主面の外側に露出する壁紙シートと、前記各ローラの少なくともいずれか一方に取り付けられ、前記壁紙シートを巻き取るためのハンドルとを備え、
前記筐体の下部には転倒防止用の平板状のベースが取り付けられている、
ことを特徴とする室内用壁面構造体。
【請求項２】
前記壁紙シートはエンドレスシートである、
ことを特徴とする請求項１記載の室内用壁面構造体。
【請求項３】
前記壁紙シートの第２主面側の張設部分以外の部分が前記第１，第２のローラのいずれか一方に巻き付けられるとともに、該壁紙シートの各端部が前記各ローラにそれぞれ係止されている、
ことを特徴とする請求項１記載の室内用壁面構造体。
【請求項４】
前記筐体内において前記第１，第２のローラ間には回転自在な第３のローラが設けられ、前記壁紙シートの第２主面側の張設部分以外の部分が前記第３のローラに巻き付けられるとともに、前記壁紙シートの一端が前記第１，第２のローラのいずれか一方のローラに係止され、他端が前記第３のローラに係止されている、
ことを特徴とする請求項１記載の室内用壁面構造体。
【発明の詳細な説明】
【０００１】
【産業上の利用分野】
本発明は、室内の壁の模様替えを簡単に行うことができる室内用壁面構造体に関する。
【０００２】
【従来の技術およびその課題】
室内の壁の模様替えを行う場合には、従来、壁紙を張り替えることにより行っているが、この壁紙の張り替え作業は手間のかかる作業であり、また、良好な仕上がり状態を得るのは一般に容易ではない。
【０００３】
本発明は、このような従来の実情に鑑みてなされたもので、室内の壁の模様替えを簡単に行うことができる室内用壁面構造体を提供することを目的とする。
【０００４】
【課題を解決するための手段】
請求項１の発明に係る室内用壁面構造体は、室内の壁面に当接し得る第１主面と、これに対向配置された第２主面とを有する筐体と、該筐体内において上下方向に所定の間隔を隔てて対向配置された回転自在な第１，第２のローラと、これらのローラ間に巻き掛けられるとともに、その第２主面側の張設部分が該第２主面の外側に露出する壁紙シートと、前記各ローラの少なくともいずれか一方に取り付けられ、前記壁紙シートを巻き取るためのハンドルとを備え、前記筐体の下部には転倒防止用の平板状のベースが取り付けられていることを特徴としている。
【０００５】
請求項２の発明に係る室内用壁面構造体は、請求項１において、前記壁紙シートはエンドレスシートであることを特徴としている。
【０００６】
請求項３の発明に係る室内用壁面構造体は、請求項１において、前記壁紙シートの第２主面側の張設部分以外の部分が前記第１，第２のローラのいずれか一方に巻き付けられるとともに、該壁紙シートの各端部が前記各ローラにそれぞれ係止されていることを特徴としている。
【０００７】
請求項４の発明に係る室内用壁面構造体は、請求項１において、前記筐体内において前記第１，第２のローラ間には回転自在な第３のローラが設けられ、前記壁紙シートの第２主面側の張設部分以外の部分が前記第３のローラに巻き付けられるとともに、前記壁紙シートの一端が前記第１，第２のローラのいずれか一方のローラに係止され、他端が前記第３のローラに係止されていることを特徴としている。
【０００８】
【作用】
本発明に係る室内用壁面構造体では、筐体の第１主面を室内の壁面に当接させるようにして、筐体を室内に配置する。このとき、筐体の第２主面が壁面の前方に配置されている。そして、第１，第２のローラ間に巻き掛けられた壁紙シートの第２主面側の張設部分が第２主面の外側に露出している。すなわち、この壁紙シートの第２主面側の張設部分がこの壁面の壁紙として機能することになる。
【０００９】
室内の壁の模様替えを行う際には、この状態からハンドルを回して第１，第２のローラを回転させ、壁紙シートの筐体内に収納された部分を第２主面側に移動させる。これにより、壁紙シートの新たに取り出された部分を新たな壁紙として用いることができる。したがって、壁紙シートの筐体内に収納された部分に、壁紙シートの第２主面側の張設部分と異なる絵柄を予め施しておくことにより、ハンドルを回すだけで簡単に壁の模様替えを行うことができる。
【００１０】
また室内は一般に、閉鎖された空間のイメージが強いものであるが、季節に応じた絵柄を予め壁紙シートに施しておくことにより、屋外的なイメージを室内にかもし出すことができる。これにより、とくに子供部屋に本発明を適用することによって、開放的な空間で子供が伸び伸びと生活することができるようになり、子供の成長にとって大きなプラスになる。
【００１１】
【実施例】
以下、本発明の実施例を添付図面に基づいて説明する。
図１および図２は本発明の一実施例による室内用壁面構造体を説明するための図であり、図１は室内用壁面構造体が室内に配置された状態を示す全体斜視図、図２はその側面図である。
【００１２】
これらの図に示すように、この室内用壁面構造体１は筐体２を有している。筐体２は、室内の壁面１０に当接するように配置される第１主面２ａと、これに対向配置された第２主面２ｂとを有している。なお、図２では、筐体２の側板２ｃが取り外された状態のものが示されている。
【００１３】
筐体２内には、第１および第２のローラ３，４が上下方向に所定間隔を隔てて対向配置されており、各ローラ３，４はそれぞれ支持部５，６により回転自在に支持されている。また、筐体２の第２主面２ｂには、幅方向（図２紙面垂直方向）に延びる切欠き８，９が上下に形成されており、ローラ３，４の各ローラ面はそれぞれ切欠き８，９から一部露出している。
【００１４】
各ローラ３，４間には、エンドレス状の壁紙シート７が巻き掛けられており、該壁紙シート７の第１主面２ａ側の張設部分は筐体２内に収納され、第２主面２ｂ側の張設部分は、各切欠き８，９を通って第２主面２ｂの外側に露出している。
【００１５】
第２のローラ４の回転軸にはクランク状のハンドル１１が着脱自在に取り付けられている。また筐体２の下部には、筐体２の転倒を防止するための円板状のベース１２が取り付けられている。このベース１２は、このような円板状のものに限られず、Ｌ字状のアングル部材であってもよいが、人が脚をぶつけたりする恐れのない安全性という点からは、筐体２からの突出部分が少ない、このような円板状または矩形状等の平板状部材が好ましい。なお、床面１３上にガイドレールを配設し、該ガイドレールに筐体２を支持させるようにしてもよい。
【００１６】
次に、本実施例の作用効果について説明する。
この室内用壁面構造体１を室内に配置したとき（図１，図２参照）、上述のように、壁紙シート７の第２主面２ｂ側の張設部分が第２主面２ｂの外側に露出しており、この第２主面２ｂ側の張設部分がこの壁面１０の壁紙として機能することになる。
【００１７】
室内の壁１０の模様替えを行う際には、この状態からハンドル１１を回して第１，第２のローラ３，４を回転させ、壁紙シート７の第１主面２ａ側の張設部分を第２主面２ｂ側に移動させる。これにより、壁紙シート７の新たに取り出された部分を新たな壁紙として用いることができる。したがって、壁紙シート７の第１主面２ａ側の張設部分に、壁紙シート７の第２主面２ｂ側の張設部分と異なる絵柄を予め施しておくことにより、ハンドルを回すだけで簡単に壁１０の模様替えを行うことができる。
【００１８】
また、壁紙シート７の第１，第２主面２ａ，２ｂ側の各張設部分にそれぞれ季節に応じた風景画や花等の絵柄を施しておく、たとえば第１主面２ａ側の張設部分に春，夏用の絵柄を、第２主面２ｂ側の張設部分に秋，冬用の絵柄をそれぞれ施しておくことにより、屋外的なイメージを室内にかもし出すことができる。これにより、とくに子供部屋に本発明を適用することによって、開放的な空間で子供が伸び伸びと生活することができるようになり、子供の成長にとって大きなプラスになる。
【００１９】
図３は前記実施例の変形例を示している。図３において、前記実施例と同一符号は同一または相当部分を示している。この変形例において、前記実施例と異なるのは、筐体２内において第１のローラ３の上方に、間接照明用のライト１５が設けられている点である。このようなライトを設けることによって、室内に別のイメージをかもし出すことができる。また、このライトを、壁紙シート７の第２主面２ｂ側の張設部分の背面に配置するとともに、第２主面２ｂに開孔を形成し、この開孔からライトの光を壁紙シート７の裏面に当てるようにすれば、また別のイメージが室内にかもし出されることになる。
【００２０】
なお、前記実施例では、壁紙シート７としてエンドレスシートを採用した例を示したが（図４（ａ）の概略構成図参照）、本発明の適用はこれに限定されない。たとえば、図４（ｂ），（ｃ）に示す構成を採用することもできる。
【００２１】
図４（ｂ）に示すものは、壁紙シート７を第１，第２のローラ３，４に巻き掛け、その各端部を各ローラ３，４に係止するとともに、壁紙シート７を第１のローラ３の外周に何回か巻き付けて構成されている。また、第１のローラ３の回転軸には、該第１のローラ３側に壁紙シート７を巻き取るためのクランク状ハンドル２１が着脱自在に取り付けられている。
【００２２】
この場合には、壁紙シート７の第１のローラ３に巻き付けられた部分に種々の絵柄を施すことができる。前記実施例では、壁紙シート７がエンドレスシートであることにより、第１主面２ａ側および第２主面２ｂ側の各張設部分に描かれた二種類の図柄しか取り出すことができないが、この図４（ｂ）の例では、第１のローラ３に巻き付けられる壁紙シート７の長さを各ローラ間距離の略３倍にすることにより、四種類の絵柄を取り出すことが可能になり、四季折々の絵柄を楽しむことができるようになる。
【００２３】
また、第１のローラ３に巻き付けられる壁紙シート７の長さを余分にとって余白部分を設けておくようにすれば、この余白部分を子供の落書きスペースあるいは写生画用のスペースとして用いることができ、この室内用壁面構造体１の有用性が向上することになる。
【００２４】
図４（ｃ）に示すものは、筐体２内において第１，第２のローラ３，４間に回転自在な第３のローラ２２を有しており、壁紙シート７を第１，第２，第３のローラ３，４，２２にそれぞれ巻き掛け、壁紙シート７の各端部を第２，第３のローラ４，２２に係止するとともに、壁紙シート７を第３のローラ２２の外周に何回か巻き付けて構成されている。また、第３のローラ２２の回転軸には、該第３のローラ２２側に壁紙シート７を巻き取るためのクランク状ハンドル２３が着脱自在に取り付けられている。
【００２５】
この場合には、第３のローラ２２に巻き付けられる壁紙シート７の長さを適当な長さにすることにより、図４（ｂ）のものと同様に、四種類またはそれ以上の絵柄を取り出すことが可能になり、四季折々の絵柄を楽しむことができる。また同様に、子供の落書きスペースあるいは写生画用スペースとしての余白部分を取り出すようにすることもできる。
【００２６】
【発明の効果】
以上のように本発明に係る室内用壁面構造体によれば、筐体内に収納された回転自在な第１，第２のローラに、その一部が筐体外側に露出する壁紙シートを巻き掛けるとともに、各ローラのいずれか一方にハンドルを取り付けるようにしたので、室内の壁の模様替えを簡単に行うことができる効果がある。
【図面の簡単な説明】
【図１】本発明の一実施例による室内用壁面構造体が室内に配置された状態を示す全体斜視図。
【図２】前記室内用壁面構造体の側面図。
【図３】本発明の変形例による室内用壁面構造体を示す図２に相当する図。
【図４】（ａ）は前記室内用壁面構造体の筐体を除く主要部の概略構成図、（ｂ）はその第１の変形例を示す図、（ｃ）はその第２の変形例を示す図。
【符号の説明】
１            室内用壁面構造体
２            筐体
２ａ          第１主面
２ｂ          第２主面
３            第１のローラ
４            第２のローラ
７            壁紙シート
１１          ハンドル
１２          ベース
【図１】
0003597601.tif 000002
【図２】
0003597601.tif 000003
【図３】
0003597601.tif 000004
【図４】
0003597601.tif 000005